(57)【特許請求の範囲】
【請求項１】
野縁受けと前記野縁受けの直下に重なる野縁とに係合して該野縁受けと該野縁とを連結する連結クリップの該野縁受けに対する係合を解除し、前記野縁受けと前記野縁との連結を解除する連結解除具において、
前記連結解除具が、上下方向へ延びる長尺の操作ロッドと、前記操作ロッドの上端部から幅方向へ延出する旋回中心軸と、前記旋回中心軸から上方へ所定寸法離間するとともに該旋回中心軸から前方へ所定寸法離間して前記操作ロッドの上端部から前記幅方向へ延出する連結解除板と、前記連結解除板の下方に位置して前記操作ロッドの上端部から前方へ延出し、前記野縁受けを支持する支持軸とから形成され、
前記連結解除具では、前記旋回中心軸を旋回中心として前記連結解除板が前記野縁受けから離間する方向へ旋回しつつ、前記連結解除板が前記連結クリップを野縁受けから離間する方向へ移動させるとともに、前記支持軸が前記野縁から離間する方向へ旋回しつつ、該支持軸が前記野縁受けを上方へ持ち上げて該野縁受けと前記野縁とを上下方向へ離間させることで、前記連結クリップの前記野縁受けに対する係合が解除されることを特徴とする連結解除具。
【請求項２】
前記連結クリップが、前記野縁受けのウェブに対向する接続部と、前記接続部の上方に位置して前記野縁受けの上フランジに係合する第１フックと、該接続部の下方に位置して前記野縁の係合リップに係合する一対の第２フックとを有し、前記連結解除具では、前記連結解除板を前記連結クリップの接続部と前記野縁受けのウェブとの間に進入させ、前記支持軸を前記野縁受けの下フランジの直下に位置させ、前記旋回中心軸が前記野縁の係合リップに当接するとともに、前記操作ロッドの下端部が前記野縁受けの斜め下方に位置した状態で該操作ロッドの下端部を該野縁受けに向かって旋回させると、前記連結解除板が前記野縁受けから離間する方向へ旋回しつつ、該連結解除板が前記連結クリップの接続部を該野縁受けから離間する方向へ移動させるとともに、前記支持軸が前記野縁から離間する方向へ旋回しつつ、該支持軸が前記野縁受けの下フランジを上方へ持ち上げて該野縁受けと前記野縁とを上下方向へ離間させ、それによって前記野縁受けの上フランジに対する前記連結クリップの第１フックの係合が解除される請求項１に記載の連結解除具。
【請求項３】
前記連結クリップが、前記野縁受けのウェブに当接する接続部と、前記接続部の上方に位置して前記野縁受けの上フランジに係合する第１フックと、該接続部の下方に位置して前記野縁の係合リップに係合する一対の第２フックとを有し、前記連結解除具では、前記連結解除板を前記連結クリップの第１フックと前記野縁受けのウェブとの間に進入させ、前記支持軸を前記野縁受けの下フランジの直下に位置させ、前記旋回中心軸が前記野縁の係合リップに当接するとともに、前記操作ロッドの下端部が前記野縁受けの斜め下方に位置した状態で該操作ロッドの下端部を該野縁受けに向かって旋回させると、前記連結解除板が前記野縁受けから離間する方向へ旋回しつつ、該連結解除板が前記連結クリップの第１フックを該野縁受けから離間する方向へ移動させるとともに、前記支持軸が前記野縁から離間する方向へ旋回しつつ、該支持軸が前記野縁受けの下フランジを上方へ持ち上げて該野縁受けと前記野縁とを上下方向へ離間させ、それによって前記野縁受けの上フランジに対する前記連結クリップの第１フックの係合が解除される請求項１に記載の連結解除具。
【請求項４】
前記連結解除具では、前記操作ロッドの下端部が力点になり、前記旋回中心軸が支点になり、前記連結解除板と前記支持軸とが作用点になる請求項２または請求項３に記載の連結解除具。
【請求項５】
前記連結解除具が、前記操作ロッドの上端部に設置されて前記旋回中心軸と前記連結解除板と前記支持軸とが連接された上下方向へ長い設置プレートを含み、前記設置プレートが、上方へ向かうにつれて前記操作ロッドに対して上り勾配に傾斜している請求項１ないし請求項４いずれかに記載の連結解除具。
【請求項６】
前記連結解除具では、前記操作ロッドに対する前記設置プレートの上り勾配に傾斜する傾斜角度を変更可能である請求項５に記載の連結解除具。
【請求項７】
前記連結解除板が、前記設置プレートに着脱可能に取り付けられて該設置プレートから幅方向へ延出し、前記連結解除具では、前記連結解除板の前記設置プレートに対する取付位置を上下方向へ変更可能であり、前記旋回中心軸と前記連結解除板との上下方向の離間寸法を変更可能である請求項５または請求項６に記載の連結解除具。
【請求項８】
前記支持軸が、前記設置プレートから前方へ延びていて前記野縁受けの下フランジを支持する第１支持部と、前記第１支持部の先端から上方へ延びていて前記野縁受けのウェブを支持する第２支持部とを有する請求項５ないし請求項７いずれかに記載の連結解除具。
【請求項９】
前記支持軸が、前記設置プレートに着脱可能に取り付けられて該設置プレートから前方へ延出し、前記連結解除具では、前記支持軸の前記設置プレートに対する取付位置を前後方向へ変更可能であり、前記支持軸の前記設置プレートから前方への延出寸法を変更可能である請求項５ないし請求項８いずれかに記載の連結解除具。
【請求項１０】
前記連結解除具が、前記旋回中心軸の下方に位置して前記操作ロッドの上端部から前記幅方向へ延出する案内棒を含み、前記旋回中心軸と前記案内棒との間には、前記野縁を出入可能に進入させるスペースが画成されている請求項１ないし請求項９いずれかに記載の連結解除具。
【請求項１１】
前記案内棒の前記操作ロッドから幅方向へ離間する先端部が、該操作ロッドから幅方向側方へ向かうにつれて上り勾配に傾斜している請求項１０に記載の連結解除具。
【請求項１２】
前記操作ロッドが、その上下方向の長さ寸法を調節可能である請求項１ないし請求項１
１いずれかに記載の連結解除具。
【発明の詳細な説明】
【技術分野】
【０００１】
本発明は、野縁受けと野縁とに係合して野縁受けと野縁とを連結する連結クリップの野縁受けに対する係合を解除し、野縁と野縁受けとの連結を解除する連結解除具に関する。
【背景技術】
【０００２】
細長い矩形かつ平板状に形成された本体部と、平板状に形成されて本体部の幅方向の一方の側の縁の一部から所定寸法だけ突出する第１の突出部と、平板状に形成されて第１の突出部と直交する方向に第１の突出部の先端から所定寸法だけ突出する第２の突出部とを有し、所定の幅を備えた細長い矩形な平板状の素材を切断して折り曲げることで一体成形された野縁受けが開示されている（特許文献１参照）。
【０００３】
特許文献１に開示の野縁受けでは、第１の突出部と第２の突出部とが設けられていない部位において、連結クリップを利用して野縁が連結されている。前後方向へ略等間隔離間して並ぶ複数の野縁受けの直下に幅方向へ略等間隔離間して並ぶ複数の野縁が位置し、野縁受けに対して野縁が略直交した状態で連結クリップの第１フックが野縁受けの上フランジに係合し、連結クリップの第２フックが野縁の係合リップに係合することで、野縁受けに野縁が連結される。
【先行技術文献】
【特許文献】
【０００４】
【特許文献１】特開２０１３−３２６４４号公報
【発明の概要】
【発明が解決しようとする課題】
【０００５】
天井の補修工事や解体工事を行う場合、野縁受けと野縁との連結を解除する必要があるが、従来の天井の補修工事や解体工事では、脚立に乗った解体工が天井板を外した後、素手やバール等によって野縁受けと野縁とを上下方向へ力任せに離間させ（引き離し）、野縁受けや野縁を変形させながら野縁受けと第１フックとの係合や野縁の係合リップと第２フックとの係合を無理矢理に解除していた。
【０００６】
従来の補修工事や解体工事における解除作業では、解体工が脚立を所定の位置に移動させつつ、脚立への乗り降りを繰り返しながら、野縁受けと野縁との連結を解除することになり、床に位置した状態で野縁受けと野縁との連結を解除することができず、野縁受けと野縁との連結の解除に大きな労力が必要となり、野縁受けと野縁との連結の解除に手間と時間とがかかっていた。また、従来の解除作業で野縁受けと野縁との連結を解除すると、野縁受けや野縁が不規則に変形し、野縁受けや野縁が原形を留めず、野縁受けや野縁を再利用することができなかった。さらに、野縁受けや野縁を廃棄物として処理する際に、変形した野縁受けや野縁が嵩張り、複数の野縁受けや野縁をまとめて梱包することが難しく、廃棄処理に手間と時間とを要していた。
【０００７】
本発明の目的は、野縁受けと野縁との連結の解除に労力を必要とせず、手間と時間とを要せずに野縁受けと野縁との連結を短時間で効率よく解除することができる連結解除具を提供することにある。本発明の他の目的は、野縁受けや野縁を不規則に変形させることなく野縁受けと野縁との連結を解除することができ、連結が解除された野縁受けや野縁の再利用を可能にする連結解除具を提供することにある。本発明の他の目的は、連結が解除された野縁受けや野縁を廃棄処理する際に野縁受けや野縁を容易に梱包することができ、手間と時間とを要せずに廃棄処理を可能にする連結解除具を提供することにある。
【課題を解決するための手段】
【０００８】
前記課題を解決するための本発明の前提は、野縁受けと野縁受けの直下に重なる野縁とに係合して野縁受けと野縁とを連結する連結クリップの野縁受けに対する係合を解除し、野縁受けと野縁との連結を解除する連結解除具である。
【０００９】
前記前提における本発明の特徴は、連結解除具が、上下方向へ延びる長尺の操作ロッドと、操作ロッドの上端部から幅方向へ延出する旋回中心軸と、旋回中心軸から上方へ所定寸法離間するとともに旋回中心軸から前方へ所定寸法離間して操作ロッドの上端部から幅方向へ延出する連結解除板と、連結解除板の下方に位置して操作ロッドの上端部から前方へ延出し、野縁受けを支持する支持軸とから形成され、連結解除具では、旋回中心軸を旋回中心として連結解除板が野縁受けから離間する方向へ旋回しつつ、連結解除板が連結クリップを野縁受けから離間する方向へ移動させるとともに、支持軸が野縁から離間する方向へ旋回しつつ、支持軸が野縁受けを上方へ持ち上げて野縁受けと野縁とを上下方向へ離間させることで、連結クリップの野縁受けに対する係合が解除されることにある。
【００１０】
本発明の一例としては、連結クリップが、野縁受けのウェブに対向する接続部と、接続部の上方に位置して野縁受けの上フランジに係合する第１フックと、接続部の下方に位置して野縁の係合リップに係合する一対の第２フックとを有し、連結解除具では、連結解除板を連結クリップの接続部と野縁受けのウェブとの間に進入させ、支持軸を野縁受けの下フランジの直下に位置させ、旋回中心軸が野縁の係合リップに当接するとともに、操作ロッドの下端部が野縁受けの斜め下方に位置した状態で操作ロッドの下端部を野縁受けに向かって旋回させると、連結解除板が野縁受けから離間する方向へ旋回しつつ、連結解除板が連結クリップの接続部を野縁受けから離間する方向へ移動させるとともに、支持軸が野縁から離間する方向へ旋回しつつ、支持軸が野縁受けの下フランジを上方へ持ち上げて野縁受けと野縁とを上下方向へ離間させ、それによって野縁受けの上フランジに対する連結クリップの第１フックの係合が解除される。
【００１１】
本発明の他の一例としては、連結クリップが、野縁受けのウェブに当接する接続部と、接続部の上方に位置して野縁受けの上フランジに係合する第１フックと、接続部の下方に位置して野縁の係合リップに係合する一対の第２フックとを有し、連結解除具では、連結解除板を連結クリップの第１フックと野縁受けのウェブとの間に進入させ、支持軸を野縁受けの下フランジの直下に位置させ、旋回中心軸が野縁の係合リップに当接するとともに、操作ロッドの下端部が野縁受けの斜め下方に位置した状態で操作ロッドの下端部を野縁受けに向かって旋回させると、連結解除板が野縁受けから離間する方向へ旋回しつつ、連結解除板が連結クリップの第１フックを野縁受けから離間する方向へ移動させるとともに、支持軸が野縁から離間する方向へ旋回しつつ、支持軸が野縁受けの下フランジを上方へ持ち上げて野縁受けと野縁とを上下方向へ離間させ、それによって野縁受けの上フランジに対する連結クリップの第１フックの係合が解除される。
【００１２】
本発明の他の一例として、連結解除具では、操作ロッドの下端部が力点になり、旋回中心軸が支点になり、連結解除板と支持軸とが作用点になる。
【００１３】
本発明の他の一例としては、連結解除具が操作ロッドの上端部に設置されて旋回中心軸と連結解除板と支持軸とが連接された上下方向へ長い設置プレートを含み、設置プレートが上方へ向かうにつれて操作ロッドに対して上り勾配に傾斜している。
【００１４】
本発明の他の一例として、連結解除具では、操作ロッドに対する設置プレートの上り勾配に傾斜する傾斜角度を変更可能である。
【００１５】
本発明の他の一例としては、連結解除板が設置プレートに着脱可能に取り付けられて設置プレートから幅方向へ延出し、連結解除具では、連結解除板の設置プレートに対する取付位置を上下方向へ変更可能であり、旋回中心軸と連結解除板との上下方向の離間寸法を変更可能である。
【００１６】
本発明の他の一例としては、支持軸が、設置プレートから前方へ延びていて野縁受けの下フランジを支持する第１支持部と、第１支持部の先端から上方へ延びていて野縁受けのウェブを支持する第２支持部とを有する。
【００１７】
本発明の他の一例としては、支持軸が設置プレートに着脱可能に取り付けられて設置プレートから前方へ延出し、連結解除具では、支持軸の設置プレートに対する取付位置を前後方向へ変更可能であり、支持軸の設置プレートから前方への延出寸法を変更可能である。
【００１８】
本発明の他の一例としては、連結解除具が旋回中心軸の下方に位置して操作ロッドの上端部から幅方向へ延出する案内棒を含み、旋回中心軸と案内棒との間には、野縁を出入可能に進入させるスペースが画成されている。
【００１９】
本発明の他の一例としては、案内棒の操作ロッドから幅方向へ離間する先端部が操作ロッドから幅方向側方へ向かうにつれて上り勾配に傾斜している。
【００２０】
本発明の他の一例としては、操作ロッドがその上下方向の長さ寸法を調節可能である。
【発明の効果】
【００２１】
本発明にかかる連結解除具によれば、旋回中心軸を旋回中心として連結解除板が野縁受けから離間する方向へ旋回しつつ、連結解除板が連結クリップを野縁受けから離間する方向へ移動させるとともに、支持軸が野縁から離間する方向へ旋回しつつ、支持軸が野縁受けを上方へ持ち上げて野縁受けと野縁とを上下方向へ離間させることで、連結クリップの野縁受けに対する係合が解除されるから、脚立を使用することなく作業者が床に起立（位置）した状態で手が届かない天井の野縁受けと野縁との連結を容易に解除することができる。連結解除具は、野縁受けと野縁との連結を解除する際に作業者が脚立の移動や脚立への乗り降りを繰り返す必要はなく、床に起立（位置）する作業者が梃子の原理を利用してわずかな力で野縁受けと野縁との連結を解除することができ、野縁受けと野縁との連結の解除に労力を必要とせず、手間と時間とを要せずに野縁受けと野縁との連結を短時間で効率よく解除することができる。連結解除具は、野縁受けと野縁とを上下方向へわずかに離間させることで、野縁受けと連結クリップとの係合が解除され、野縁受けと野縁との連結を解除されるから、野縁受けや野縁を変形させることなく野縁受けと野縁との連結を解除することができ、連結が解除された野縁受けや野縁が原形を留め、連結が解除された野縁受けや野縁の再利用を可能にすることができる。連結解除具は、連結が解除された野縁受けや野縁が原形を留めるから、野縁受けや野縁を廃棄処分する際にそれらが嵩張ることはなく、それらを容易に梱包することができ、手間と時間とを要せずに野縁受けや野縁の廃棄処理を可能にすることができる。
【００２２】
連結解除板を連結クリップの接続部と野縁受けのウェブとの間に進入させ、支持軸を野縁受けの下フランジの直下に位置させ、旋回中心軸が野縁の係合リップに当接するとともに、操作ロッドの下端部が野縁受けの斜め下方に位置した状態で操作ロッドの下端部を野縁受けに向かって旋回させると、連結解除板が野縁受けから離間する方向へ旋回しつつ、連結クリップの接続部を野縁受けから離間する方向へ移動させるとともに、支持軸が野縁から離間する方向へ旋回しつつ、支持軸が野縁受けの下フランジを上方へ持ち上げて野縁受けと野縁とを上下方向へ離間させ、それによって野縁受けの上フランジに対する連結クリップの第１フックの係合が解除される連結解除具は、作業者が床に起立（位置）した状態で操作ロッドの下端部を野縁受けに向かって旋回させることで、連結解除板が連結クリップの接続部を野縁受けから離間する方向へ移動させるとともに、支持軸が野縁受けの下フランジを上方へ持ち上げて野縁受けと野縁とを上下方向へ離間させ、それによって野縁受けの上フランジと連結クリップの第１フックとの係合が解除されるから、脚立を使用することなく作業者が床に起立（位置）した状態で手が届かない天井の野縁受けと野縁との連結を容易に解除することができる。連結解除具は、野縁受けと野縁との連結を解除する際に作業者が脚立の移動や脚立への乗り降りを繰り返す必要はなく、床に起立（位置）する作業者が梃子の原理を利用してわずかな力で野縁受けと野縁との連結を解除することができ、野縁受けと野縁との連結の解除に労力を必要とせず、手間と時間とを要せずに野縁受けと野縁との連結を短時間で効率よく解除することができる。
【００２３】
連結解除板を連結クリップの第１フックと野縁受けのウェブとの間に進入させ、支持軸を野縁受けの下フランジの直下に位置させ、旋回中心軸が野縁の係合リップに当接するとともに、操作ロッドの下端部が野縁受けの斜め下方に位置した状態で操作ロッドの下端部を野縁受けに向かって旋回させると、連結解除板が野縁受けから離間する方向へ旋回しつつ、連結解除板が連結クリップの第１フックを野縁受けから離間する方向へ移動させるとともに、支持軸が野縁から離間する方向へ旋回しつつ、支持軸が野縁受けの下フランジを上方へ持ち上げて野縁受けと野縁とを上下方向へ離間させ、それによって野縁受けの上フランジに対する連結クリップの第１フックの係合が解除される連結解除具は、作業者が床に起立（位置）した状態で操作ロッドの下端部を野縁受けに向かって旋回させることで、連結解除板が連結クリップの第１フックを野縁受けから離間する方向へ移動させるとともに、支持軸が野縁受けの下フランジを上方へ持ち上げて野縁受けと野縁とを上下方向へ離間させ、それによって野縁受けの上フランジと連結クリップの第１フックとの係合が解除されるから、脚立を使用することなく作業者が床に起立（位置）した状態で手が届かない天井の野縁受けと野縁との連結を容易に解除することができる。連結解除具は、野縁受けと野縁との連結を解除する際に作業者が脚立の移動や脚立への乗り降りを繰り返す必要はなく、床に起立（位置）する作業者が梃子の原理を利用してわずかな力で野縁受けと野縁との連結を解除することができ、野縁受けと野縁との連結の解除に労力を必要とせず、手間と時間とを要せずに野縁受けと野縁との連結を短時間で効率よく解除することができる。
【００２４】
操作ロッドの下端部が力点になり、旋回中心軸が支点になり、連結解除板と支持軸とが作用点になる連結解除具は、力点となる操作ロッドの下端部を把持しつつ操作ロッドの下端部を野縁受けに向かって旋回させることで、作用点となる連結解除板と支持軸とに大きな力が作用し、旋回中心軸を旋回中心として連結解除板と支持軸とが旋回して連結解除板が連結クリップの第１フックを野縁受けから離間する方向へ移動させるとともに、支持軸が野縁受けと野縁とを上下方向へ離間させるから、操作ロッドの下端部をわずかな力で旋回させるだけで、連結クリップの第１フックと野縁受けとが離間するとともに野縁受けと野縁とが上下方向へ離間し、梃子の原理を利用してわずかな力で野縁受けの上フランジと連結クリップの第１フックとの係合を解除することができ、わずかな力で野縁受けと野縁との連結を解除することができる。
【００２５】
連結解除具が操作ロッドの上端部に設置されて旋回中心軸と連結解除板と支持軸とが連接された上下方向へ長い設置プレートを含み、設置プレートが上方へ向かうにつれて操作ロッドに対して上り勾配に傾斜している連結解除具は、野縁受けと野縁との連結箇所の高さや作業者の床における位置等によっては連結解除板を連結クリップの接続部と野縁受けのウェブとの間に進入させる作業や連結解除板を連結クリップの第１フックと野縁受けのウェブとの間に進入させる作業、支持軸を野縁受けの下フランジの直下に位置させる作業が難しくなる場合があるが、設置プレートが操作ロッドに対して上り勾配に傾斜することで、旋回中心軸や連結解除板が操作ロッドの軸線上ではなく、操作ロッドの上方に位置し、作業者から旋回中心軸や連結解除板が見易くなる。それにより、野縁受けと野縁との連結箇所の高さや作業者の床における位置等にかかわらず、連結解除板を連結クリップの接続部と野縁受けのウェブとの間に容易に進入させることができ、または、連結解除板を連結クリップの第１フックと野縁受けのウェブとの間に容易に進入させることができる。
【００２６】
操作ロッドに対する設置プレートの上り勾配に傾斜する傾斜角度を変更可能である連結解除具は、野縁受けと野縁との連結箇所の高さや作業者の床における位置等によっては連結解除板を連結クリップの接続部と野縁受けのウェブとの間に進入させる作業や連結解除板を連結クリップの第１フックと野縁受けのウェブとの間に進入させる作業、支持軸を野縁受けの下フランジの直下に位置させる作業が難しくなる場合があるが、操作ロッドに対する設置プレートの上り勾配に傾斜する傾斜角度を変更し、旋回中心軸や連結解除板の操作ロッドの上方への位置を変えることで、作業者から旋回中心軸や連結解除板が一層見易くなるから、野縁受けと野縁との連結箇所の高さや作業者の床における位置等にかかわらず、連結解除板を連結クリップの接続部と野縁受けのウェブとの間に容易に進入させることができ、または、連結解除板を連結クリップの第１フックと野縁受けのウェブとの間に容易に進入させることができ、支持軸を野縁受けの下フランジの直下に容易に位置させることができる。
【００２７】
連結解除板が設置プレートに着脱可能に取り付けられて設置プレートから幅方向へ延出し、連結解除板の設置プレートに対する取付位置を上下方向へ変更可能であり、旋回中心軸と連結解除板との上下方向の離間寸法を変更可能である連結解除具は、野縁受けが規格化されてウェブの寸法が決まっており、ウェブの寸法が大きい野縁受けやウェブの寸法が小さい野縁受けが存在し、ウェブの寸法の大小によっては連結解除板を連結クリップの第１フックと野縁受けのウェブとの間に進入させることができない場合があるが、設置プレートに対する連結解除板の取付位置を上方へ変更して旋回中心軸と連結解除板との上下方向の離間寸法を大きくすることで、ウェブの寸法が大きい野縁受けに係合する連結クリップの第１フックと野縁受けのウェブとの間に連結解除板を進入させることができ、設置プレートに対する連結解除板の取付位置を下方へ変更して旋回中心軸と連結解除板との上下方向の離間寸法を小さくすることで、ウェブの寸法が小さい野縁受けに係合する連結クリップの第１フックと野縁受けのウェブとの間に連結解除板を進入させることができる。また、ウェブの寸法の大小によっては支持軸を野縁受けの下フランジの直下に位置させることができない場合があるが、設置プレートに対する連結解除板の取付位置を上方へ変更して旋回中心軸と連結解除板との上下方向の離間寸法を大きくすることで、ウェブの寸法が大きい野縁受けの下フランジの直下に支持軸を位置させることができ、設置プレートに対する連結解除板の取付位置を下方へ変更して旋回中心軸と連結解除板との上下方向の離間寸法を小さくすることで、ウェブの寸法が小さい野縁受けの下フランジの直下に支持軸を位置させることができる。
【００２８】
支持軸が設置プレートから前方へ延びていて野縁受けの下フランジを支持する第１支持部と第１支持部の先端から上方へ延びていて野縁受けのウェブを支持する第２支持部とを有する連結解除具は、第１支持部によって野縁受けの下フランジが支持され、第２支持部によって野縁受けのウェブが支持され、操作ロッドの下端部を野縁受けに向かって旋回させたときに、支持軸の第１および第２支持部によって野縁受けが上方へ確実に持ち上げられるから、野縁受けと野縁とを上下方向へ離間させることができ、野縁受けの上フランジに対する連結クリップの第１フックの係合を確実に解除することができる。
【００２９】
支持軸が設置プレートに着脱可能に取り付けられて設置プレートから前方へ延出し、支持軸の設置プレートに対する取付位置を前後方向へ変更可能であり、支持軸の設置プレートから前方への延出寸法を変更可能である連結解除具は、野縁受けが規格化されて下フランジや上フランジの寸法が決まっており、フランジの寸法が大きい野縁受けやフランジの寸法が小さい野縁受けが存在し、フランジの寸法の大小によっては支持軸が野縁受けの下フランジをその全長にわたって支持することができない場合があるが、設置プレートに対する支持軸の取付位置を前方へ変更して支持軸の設置プレートから前方への延出寸法を大きくすることで、支持軸が野縁受けの下フランジをその全長にわたって支持することができ、支持軸によって野縁受けの下フランジを上方へ確実に持ち上げることができる。
【００３０】
連結解除具が旋回中心軸の下方に位置して操作ロッドの上端部から幅方向へ延出する案内棒を含み、野縁を出入可能に進入させるスペースが旋回中心軸と案内棒との間に画成されている連結解除具は、旋回中心軸と案内棒との間のスペースに野縁を進入させることで、連結解除板が野縁受けに位置するから、連結解除板を連結クリップの接続部と野縁受けのウェブとの間に容易に進入させることができ、または、連結解除板を連結クリップの第１フックと野縁受けのウェブとの間に容易に進入させることができ、支持軸を野縁受けの下フランジの直下に容易に位置させることができる。
【００３１】
案内棒の操作ロッドから幅方向へ離間する先端部が操作ロッドから幅方向側方へ向かうにつれて上り勾配に傾斜している連結解除具は、案内棒の先端部が上り勾配に傾斜することで、案内棒の先端部がスペースに野縁を進入させるときの目印となり、野縁をスペースに容易に進入させることができる。連結解除具は、旋回中心軸と案内棒との間のスペースに野縁を進入させることで、連結解除板が野縁受けに位置するから、連結解除板を連結クリップの接続部と野縁受けのウェブとの間に容易に進入させることができ、または、連結解除板を連結クリップの第１フックと野縁受けのウェブとの間に容易に進入させることができ、支持軸を野縁受けの下フランジの直下に容易に位置させることができる。
【００３２】
操作ロッドがその上下方向の長さ寸法を調節可能である連結解除具は、操作ロッドの上下方向の長さ寸法を長くすることで、高い天井の野縁受けと野縁との連結箇所に旋回中心軸や連結解除板、支持軸を位置させることができ、操作ロッドの上下方向の長さ寸法を短くすることで、低い天井の野縁受けと野縁との連結箇所に旋回中心軸や連結解除板、支持軸を位置させることができ、天井の高低にかかわらず、作業者が床に起立（位置）した状態で手が届かない天井の野縁受けと野縁との連結を容易に解除することができる。
【図面の簡単な説明】
【００３３】
【図１】一例として示す連結解除具の斜視図。
【図２】図１の連結解除具の操作ロッドの上端部の拡大斜視図。
【図３】図１の連結解除具の操作ロッドの上端部の拡大正面図。
【図４】図１の連結解除具の操作ロッドの上端部の拡大側面図。
【図５】一例として示す連結クリップによって連結された野縁受けと野縁との連結箇所の拡大斜視図。
【図６】連結解除具による野縁受けと野縁との連結解除の手順の一例を示す説明図。
【図７】図６から続く連結解除の手順の一例を示す説明図。
【図８】他の一例として示す連結クリップによって連結された野縁受けと野縁との連結箇所の拡大斜視図。
【図９】連結解除具による野縁受けと野縁との連結解除の手順の他の一例を示す説明図。
【図１０】図９から続く連結解除の手順の他の一例を示す説明図。
【図１１】他の一例として示す連結解除具の操作ロッドの上端部の拡大斜視図。
【図１２】図１１の連結解除具の操作ロッドの上端部の拡大正面図。
【図１３】図１１の連結解除具の操作ロッドの上端部の拡大側面図。
【図１４】設置プレートに対する連結解除板や支持板の第１支持部の取付位置を変更した後の連結解除具の操作ロッドの上端部の拡大正面図。
【図１５】図１４の連結解除具の操作ロッドの上端部の拡大側面図。
【発明を実施するための形態】
【００３４】
一例として示す連結解除具１０Ａの斜視図である図１等の添付の図面を参照し、本発明にかかる連結解除具の詳細を説明すると、以下のとおりである。なお、図２は、図１の連結解除具１０Ａの操作ロッド１１の上端部２４の拡大斜視図であり、図３は、図１の連結解除具１０Ａの操作ロッド１１の上端部２４の拡大正面図である。図４は、図１の連結解除具１０Ａの操作ロッド１１の上端部２４の拡大側面図である。
【００３５】
図１，２では、上下方向を矢印Ａで示し、幅方向を矢印Ｂで示すとともに、前後方向を矢印Ｃで示す。図５では、野縁３３の下に設置される天井板の図示を省略している。図５では、１本の野縁受け３２と１本の野縁３３とを図示しているが、実際の天井３１には複数本の野縁受け３２と複数本の野縁３３とが格子を形成するように配置され、各野縁受け３２と各野縁３３との各交差箇所４２（各連結箇所４２）において野縁受け３２と野縁３３とが連結クリップ４３によって連結されている。
【００３６】
連結解除具１０Ａは、天井３１の補修工事や解体工事を行う場合に作業者（人）の手が届かない位置に存在する野縁受け３２と野縁３２との連結の解除に好適に使用される。連結解除具１０Ａは、野縁受け３２と野縁３３とを連結する連結クリップ４３の第１フック４５の野縁受け３２に対する係合を解除し、野縁受け３２と野縁３３との連結を解除する。
【００３７】
連結解除具１０Ａは、上下方向へ延びる長尺の操作ロッド１１と、上下方向と交差する幅方向側方へ延出する旋回中心棒１２（回転中心軸１２）と、幅方向側方へ延出する係合解除板１３（係合解除軸１３）と、上下方向や幅方向と交差する前後方向前方へ延出する支持板１４（支持軸１４）と、幅方向側方へ延出する案内棒１５（案内軸１５）と、旋回中心棒１２や係合解除板１３、支持板１４、案内棒１５が連接された上下方向へ長い設置プレート１６とから形成されている。
【００３８】
操作ロッド１１は、アルミニウムやアルカリ金属等の軽金属、または、ステンレス鋼やスチール鋼等の金属から作られ、円柱状に成形された長尺の円柱ロッド１７と、角柱状に成形された長尺の角柱ロッド１８とから形成されている。円柱ロッド１６は、補修工事や解体工事における解除作業を行う作業者が手で把持する柄部１９と、柄部１９から上方へ延びる伸縮部２０とを有する。
【００３９】
伸縮部２０は、上方に位置する第１円柱ロッド２１（円柱棒または円柱パイプ）と、第１円柱ロッド２１の下方につながる第２円柱ロッド２２（円柱パイプ）とから形成され、上下方向の長さ寸法を調節することができる。なお、伸縮部２０が３本以上の円柱ロッドから形成されていてもよく、伸縮部２０が２本以上の角柱ロッドから形成されていてもよい。また、操作ロッド１１が伸縮不能であって操作ロッド１１が角柱ロッド１８のみから作られていてもよい。この場合、角柱ロッド１８の下端部が柄部１９になる。
【００４０】
第１円柱ロッド２１は、その直径が第２円柱ロッド２２のそれよりも小さく、第２円柱ロッド２２の内部（内側）に摺動可能に収容される。伸縮部２０では、第１円柱ロッド２１が第２円柱ロッド２２の先端部から軸方向前方へ延出し、第２円柱ロッド２２の先端部から上下方向上方へ進出し、または、第２円柱ロッド２２の先端部から上下方向下方へ後退する。伸縮部２０では、上方に位置する第１円柱ロッド２１がその下方に位置する第２円柱ロッド２２の内部に摺動可能に収容される（後退する）ことで、その長さ寸法を短くすることができ、第１円柱ロッド２１を第２円柱ロッド２２の内部から露出させる（進出する）ことで、その長さ寸法を長くすることができる。
【００４１】
第２円柱ロッド２２の先端部には、第１円柱ロッド２１を伸縮不能（摺動不能）に固定するストッパー２３（ロック機構）が取り付けられている。ストッパー２３は、公知の突っ張り棒や伸縮棒に使用されているそれが利用されている。ストッパー２３を利用したロック状態（ストッパー２３を時計回り方向へ回転させた状態）では、第１円柱ロッド２１がストッパー２３を介して第２円柱ロッド２２に固定され、第１円柱ロッド２１が第２円柱ロッド２２に対して伸縮不能状態（摺動不能状態）になる。ストッパー２３のロック解除状態（ロック状態からストッパー２３を反時計回り方向へ回転させた状態）では、第２円柱ロッド２２に対して第１円柱ロッド２１を上下方向へ自由に摺動させることができる。角柱ロッド１８は、第１円柱ロッド２１（伸縮部２０）の先端部から上方へ延びている。角柱ロッド１８は、その下端が第１円柱ロッド２１（伸縮部２０）の先端部に溶接固定されている。
【００４２】
旋回中心棒１２（回転中心軸１２）は、アルミニウムやアルカリ金属等の軽金属、または、ステンレス鋼やスチール鋼等の金属から作られて円柱状に成形されている。旋回中心棒１２は、角柱ロッド１８の上端部２４（操作ロッド１１の上端部２４）から幅方向へ延びている。旋回中心棒１２は、その基端部が設置プレート１６の上方に溶接固定されている（連接されている）。旋回中心棒１２は、その直径が７〜１５ｍｍの範囲にある。なお、旋回中心軸１２が板状に成形されていてもよい。
【００４３】
係合解除板１３（係合解除軸１３）は、アルミニウムやアルカリ金属等の軽金属、または、ステンレス鋼やスチール鋼等の金属から作られて板状に成形されている。係合解除板１３は、旋回中心棒１２から上方へ所定寸法離間するとともに旋回中心棒１２から前方へ所定寸法離間し、角柱ロッド１８の上端部２４（操作ロッド１１の上端部２４）から幅方向へ延びている。係合解除板１３は、設置プレート１６の上方側部に連なり（連接され）、設置プレート１６と一体成形されている（連接されている）。係合解除板１３の幅方向への延出寸法は旋回中心軸１２のそれよりも短いが、旋回中心軸１２のそれと略同一であってもよい。
【００４４】
支持板１４（支持軸１４）は、アルミニウムやアルカリ金属等の軽金属、または、ステンレス鋼やスチール鋼等の金属から作られて板状に成形されている。支持板１４は、係合解除板１３の下方に位置して角柱ロッド１８の上端部２４（操作ロッド１１の上端部２４）から前方へ延びている。支持板１４は、野縁受け３２を支持する。支持板１４は、設置プレート１６の中央に連なり、設置プレート１６と一体成形されている（連接されている）。支持板１４は、設置プレート１６から前方へ延びる第１支持部２５と、第１支持部２５の先端から上方へ延びる第２支持部２６とを有する。第１支持部２５は、野縁受け３２の後記する下フランジ３６を支持し、第２支持部２６は、野縁受け３２の後記するウェブ３５を支持する。
【００４５】
案内棒１５（案内軸１５）は、アルミニウムやアルカリ金属等の軽金属、または、ステンレス鋼やスチール鋼等の金属から作られて円柱状に成形されている。案内棒１５は、旋回中心棒１２から下方へ所定寸法離間し、角柱ロッド１８の上端部２４（操作ロッド１１の上端部２４）から幅方向へ延びている。案内棒１５は、その直径が７〜１３ｍｍの範囲にあり、その基端部が設置プレート１６の下方に溶接固定されている（連接されている）。案内棒１５は、角柱ロッド１８（操作ロッド１１）から幅方向へ離間する先端部２７が角柱ロッド１８（操作ロッド１１）から幅方向側方へ向かうにつれて上方へわずかに折り曲げられ、先端部２７が上り勾配に傾斜している。旋回中心棒１２と案内棒１５との間には、野縁３３を出入可能に進入させるスペース２８が画成されている。
【００４６】
設置プレート１６は、アルミニウムやアルカリ金属等の軽金属、または、ステンレス鋼やスチール鋼等の金属から作られて板状に成形されている。設置プレート１６は、プレート１６および角柱ロッド１８に形成された挿通孔（またはネジ孔）に挿通（または螺着）された固定ネジ２９および固定ネジ２９に螺着されたナット３０によって角柱ロッド１８の上端部２４（操作ロッド１１の上端部２４）に固定されている。設置プレート１６は、上下方向上方へ向かうにつれて角柱ロッド１８（操作ロッド１１）の軸線に対して上り勾配に傾斜している。それによって旋回中心軸１２や係合解除軸１３が角柱ロッド１８（操作ロッド１１）の軸線上ではなく、角柱ロッド１８（操作ロッド１１）の上方に位置する。
【００４７】
図５は、一例として示す連結クリップ４３によって連結された野縁受け３２と野縁３３との連結箇所４２の拡大斜視図であり、図６は、連結解除具１０Ａによる野縁受け３２と野縁３３との連結解除の手順の一例を示す説明図である。図７は、図６から続く連結解除の手順の一例を示す説明図である。
【００４８】
天井３１では、幅方向へ延びる複数の野縁受け３２が前後方向へ略等間隔離間して並び、前後方向へ延びる複数の野縁３３が複数の野縁受け３２の直下に位置した状態で幅方向へ略等間隔離間して並んでいる。野縁受け３２と野縁３３とは、それらが直角に交差する格子状に組み上げられている。野縁受け３２は、図５に示すように、断面コ字状に成型された溝形鋼であり、溝開口３４が横向きになるように配置されている。
【００４９】
野縁受け３２は、垂直に配置されるウェブ３５と、水平に配置される下フランジ３６および上フランジ３７とを有し、ウェブ３５と上下フランジ３６，３７とがひとつながりになった一体成形品である。野縁受け３２の寸法は、ＪＩＳ規格に準じ、天井３１の大きさや重量等の各種条件に応じて所定のそれが選択される。野縁受け３２のウェブ３５の寸法には、１９ｍｍ、２５ｍｍ、３８ｍｍ、４０ｍｍがあり、野縁受け３２のフランジ３６，３７の寸法には、１０ｍｍ、１２ｍｍ、２０ｍｍがある。
【００５０】
野縁３３は、係合リップ付溝形鋼であり、溝開口３８が上向きになるように配置されている。野縁３３は、水平に配置される底壁部３９と、底壁部３９の両側縁から上方へ延びていて垂直に配置される一対の側壁部４０と、側壁部４０の上端に位置する一対の係合リップ４１とを有し、底壁部３９や側壁部４０、係合リップ４１がひとつながりになった一体成形品である。係合リップ４１は、側壁部４０の上端から水平方向内方に折り曲げられた後、底壁部３９に向かって垂直方向下方に折り曲げられ、鍵状に成形されている。野縁３３の寸法は、ＪＩＳ規格に準じ、天井３１の大きさや重量等の各種条件に応じて所定のそれが選択される。野縁３３の底壁部３９の寸法には、２５ｍｍ、５０ｍｍがあり、野縁３３の側壁部４０の寸法には、１９ｍｍ、２５ｍｍがある。
【００５１】
野縁受け３２と野縁３３とは、それらの交差箇所４２（連結箇所４２）において連結クリップ４３を利用して連結されている。連結クリップ４３は、ＪＩＳ規格に準じ、規格化されてその大きさ（幅寸法や縦寸法）が統一されており、一般に普及しているそれが使用されている。連結クリップ４３は、野縁受け３２のウェブ３５に対向（並行）する接続部４４と、接続部４４の上方に位置して野縁受け３２の上フランジ３７に係合する一対の第１フック４５と、接続部４４の下方に位置して野縁３３の係合リップ４１に係合する一対の第２フック４６とを有する。連結クリップ４３の接続部４４の幅寸法には、２５ｍｍ、５０ｍｍがある。
【００５２】
野縁受け３２と野縁３３とは、野縁受け３２に対して野縁３３を直角に交差させた状態で野縁３３が野縁受け３２の直下に配置され、野縁受け３２の下フランジ３６と野縁３３の係合リップ４１とが当接する交差箇所４２（連結箇所４２）に配置された連結クリップ４３によって連結されている。連結クリップ４３では、接続部４４が野縁受け３２の溝開口３４の側に位置し、一対の第１フック４５が折り曲げられて第１フック４５が野縁受け３２の上フランジ３７に係合し、一対の第２フック４６が野縁の係合リップ４１に係合している。連結クリップ４３によって野縁受け３２に連結された野縁３３の下に天井板（図示せず）が設置されている。
【００５３】
連結解除具１０Ａを利用して図５に示す野縁受け３２と野縁３３との連結を解除する手順は、以下のとおりである。天井３１の補修工事や解体工事を行う作業者は、第２円柱ロッド２２の先端部に取り付けられたストッパー２３のロックを解除し、第１円柱ロッド２１を第２円柱ロッド２２の内部に収容し、または、第１円柱ロッド２１を第２円柱ロッド２２から露出させ、天井３１の高さ寸法に合わせて円柱ロッド１７の伸縮部２０の長さ寸法を調節した後、ストッパー２３をロック状態にして円柱ロッド１７の伸縮部２０の長さ寸法を固定する。
【００５４】
次に、作業者は、天井３１から天井板を取り外し、野縁受け３２と野縁３３とを露出させ、床に起立した状態で円柱ロッド１７の柄部１９を手で把持し、角柱ロッド１８の先端部２４（操作ロッド１１の先端部２４）を天井３１に向かって持ち上げ、野縁受け３２の溝開口３４の側から先端部２４を野縁受け３２と野縁３３との連結箇所４２（交差箇所４２）に移動させる。先端部２４を連結箇所４２に移動させた後、旋回中心棒１２と案内棒１５との間のスペース２８に野縁３３を進入させ、連結解除板１３を連結クリップ４３の接続部４４と野縁受け３２のウェブ３５との間（溝開口３４）に進入させるとともに、支持板１４を野縁受け３２の下フランジ３６の直下に位置させる。
【００５５】
円柱ロッド１７の伸縮部２０（操作ロッド１１）がその上下方向の長さ寸法を調節可能であるから、天井３１の高低にかかわらず、円柱ロッド１７の伸縮部２０（操作ロッド１１）の上下方向の長さ寸法を長くすることで、高い天井３１の野縁受け３２と野縁３３との連結箇所４２に角柱ロッド１８の先端部２４（操作ロッド１１の先端部２４）を位置させることができ、円柱ロッド１７の伸縮部２０（操作ロッド１１）の上下方向の長さ寸法を短くすることで、低い天井３１の野縁受け３２と野縁３３との連結箇所４２に角柱ロッド１８の先端部２４（操作ロッド１１の先端部２４）を位置させることができる。
【００５６】
案内棒１５の先端部２７が角柱ロッド１８（操作ロッド１１）から幅方向側方へ向かうにつれて上り勾配に傾斜しているから、先端部２７がスペース２８に野縁３３を進入させるときの目印となり、野縁３３をスペース２８に容易に進入させることができ、角柱ロッド１８の先端部２４（操作ロッド１１の先端部２４）を野縁受け３２と野縁３３との連結箇所４２に容易に位置させることができるとともに、スペース２８に野縁３３を進入させたときに、先端部２７によって野縁３３をスペース２８から外れ難くすることができる。
【００５７】
連結解除棒１３を連結クリップ４３の接続部４４と野縁受け３２のウェブ３５との間に進入させるとともに、支持板１４を野縁受け３２の下フランジ３６の直下に位置させると、図６に示すように、旋回中心棒１２が野縁３３の係合リップ４１に当接し、操作ロッド１１が野縁３３の後方へ傾斜した状態になり、円柱ロッド１７の柄部１９（操作ロッド１１の下端部）が野縁受け３２の斜め下方であって野縁受け３２の後方に位置する。なお、円柱ロッド１７の柄部１９（操作ロッド１１の下端部）が力点になり、旋回中心棒１２が支点になり、連結解除板１３と支持板１４とが作用点になる。
【００５８】
図６の状態で円柱ロッド１７の柄部１９（操作ロッド１１の下端部）を野縁受け３２（図６に矢印Ｌ１で示す方向）に向かって旋回させると、図７に示すように、旋回中心棒１２を中心（支点）として、連結解除板１３が野縁受け３２から離間する方向（離れる方向）へ旋回しつつ、連結解除板１３が連結クリップ４３の接続部４４を野縁受け３２から離間する方向（離れる方向）へ移動させる（引き離す）とともに、支持板１４が野縁３３から離間する方向（離れる方向）へ旋回しつつ、支持板１４が野縁受け３２の下フランジ３６を上方へ持ち上げて野縁受け３２と野縁３３とを上下方向へ強制的に離間させる（引き離す）。野縁受け３２と野縁３３とが上下方向へわずかに離間することで、連結クリップ４３の第１フック４５が折り返されて第１フック４５が野縁受け３２の上フランジ３７から外れ、野縁受け３２の上フランジ３７と連結クリップ４３の第１フック４５との係合が解除され、野縁受け３２と野縁３３との連結が解除される。
【００５９】
支持板１４の第１支持部２５によって野縁受け３２の下フランジ３６が支持され、支持板１４の第２支持部２６によって野縁受け３２のウェブ３５が支持され、円柱ロッド１７の柄部１９（操作ロッド１１の下端部）を野縁受け３２に向かって旋回させたときに、支持板１４の第１および第２支持部２５，２６によって野縁受け３２が上方へ確実に持ち上げられるから、野縁受け３２と野縁３３とを上下方向へ離間させることができ、野縁受け３２の上フランジ３７に対する連結クリップ４３の第１フック４５の係合を確実に解除することができる。
【００６０】
なお、実際には複数の連結クリップ４３によって野縁受け３２と野縁３３とが連結されているが、図６，７（図８，９を含む）に基づいて説明した手順を繰り返すことによって野縁受け３２の上フランジ３７と全ての連結クリップ４３の第１フック４５との係合を解除することができ、全ての連結箇所４２における野縁受け３２と野縁３３との連結を解除することができる。
【００６１】
連結解除具１０Ａは、作業者が床に起立（位置）した状態で円柱ロッド１７の柄部１９（操作ロッド１１の下端部）を野縁受け３２に向かって旋回させることで、連結解除板１３が連結クリップ４３の接続部４４を野縁受け３２から離間する方向へ移動させるとともに、支持板１４が野縁受け３２の下フランジ３６を上方へ持ち上げて野縁受け３２と野縁３３とを上下方向へ離間させ、それによって野縁受け３２の上フランジ３７と連結クリップ４３の第１フック４５との係合が解除されるから、作業者が床に起立（位置）した状態で手が届かない天井３１の野縁受け３２と野縁３３との連結を容易に解除することができる。
【００６２】
図８は、他の一例として示す連結クリップ４３によって連結された野縁受け３２と野縁３３との連結箇所４２の拡大斜視図であり、図９は、連結解除具１０Ａによる野縁受け３２と野縁３３との連結解除の手順の他の一例を示す説明図であり、図１０は、図９から続く連結解除の手順の他の一例を示す説明図である。
【００６３】
野縁受け３２と野縁３３とは、野縁受け３２に対して野縁３３を直角に交差させた状態で野縁３３が野縁受け３２の直下に配置され、野縁受け３２の下フランジ３６と野縁３３の係合リップ４１とが当接する交差箇所４２（連結箇所４２）に配置された連結クリップ４３によって連結されている。連結クリップ４３では、接続部４４が野縁受け３２のウェブ３５の側に位置して接続部４４がウェブ３５に当接し、一対の第１フック４５が折り曲げられて第１フック４５が野縁受け３２の上フランジ３７に係合し、一対の第２フック４６が野縁の係合リップ４１に係合している。
【００６４】
連結解除具１０Ａを利用して図８に示す野縁受け３２と野縁３３との連結を解除する手順は、以下のとおりである。作業者は、床に起立した状態で円柱ロッド１７の柄部１９を手で把持し、角柱ロッド１８の先端部２４（操作ロッド１１の先端部２４）を天井３１に向かって持ち上げ、野縁受け３２の溝開口３４の側から先端部２４を野縁受け３２と野縁３３との連結箇所４２（交差箇所４２）に移動させる。先端部２４を連結箇所４２に移動させた後、旋回中心棒１２と案内棒１５との間のスペース２８に野縁３３を進入させ、連結解除板１３を連結クリップ４３の第１フック４５（上フランジ３７から下方へ延びる第１フック４５の延出部分４５ａ）と野縁受け３２のウェブ３５との間（溝開口３４）に進入させるとともに、支持板１４を野縁受け３２の下フランジ３６の直下に位置させる。
【００６５】
連結解除棒１３を連結クリップ４３の第１フック４５と野縁受け３２のウェブ３５との間に進入させるとともに、支持板１４を野縁受け３２の下フランジ３６の直下に位置させると、図９に示すように、旋回中心棒１２が野縁３３の係合リップ４１に当接し、操作ロッド１１が野縁３３の後方へ傾斜した状態になり、円柱ロッド１７の柄部１９（操作ロッド１１の下端部）が野縁受け３２の斜め下方であって野縁受け３２の後方に位置する。なお、円柱ロッド１７の柄部１９（操作ロッド１１の下端部）が力点になり、旋回中心棒１２が支点になり、連結解除板１３と支持板１４とが作用点になる。
【００６６】
図９の状態で円柱ロッド１７の柄部１９（操作ロッド１１の下端部）を野縁受け３２（図９に矢印Ｌ１で示す方向）に向かって旋回させると、図１０に示すように、旋回中心棒１２を中心（支点）として、連結解除板１３が野縁受け３２から離間する方向（離れる方向）へ旋回しつつ、連結解除板１３が連結クリップ４３の第１フック４５（上フランジ３７から下方へ延びる第１フック４５の延出部分４５ａ）を野縁受け３２から離間する方向（離れる方向）へ移動させる（引き離す）とともに、支持板１４が野縁３３から離間する方向（離れる方向）へ旋回しつつ、支持板１４が野縁受け３２の下フランジ３６を上方へ持ち上げて野縁受け３２と野縁３３とを上下方向へ強制的に離間させる（引き離す）。野縁受け３２と野縁３３とが上下方向へわずかに離間することで、連結クリップ４３の第１フック４５（延出部分４５ａ）が折り返されて第１フック４５が野縁受け３２の上フランジ３７から外れ、野縁受け３２の上フランジ３７と連結クリップ４３の第１フック４５との係合が解除され、野縁受け３２と野縁３３との連結が解除される。
【００６７】
連結解除具１０Ａは、作業者が床に起立（位置）した状態で円柱ロッド１７の柄部１９（操作ロッド１１の下端部）を野縁受け３２に向かって旋回させることで、連結解除板１３が連結クリップ４３の第１フック４５（延出部分４５ａ）を野縁受け３２から離間する方向へ移動させるとともに、支持板１４が野縁受け３２の下フランジ３６を上方へ持ち上げて野縁受け３２と野縁３３とを上下方向へ離間させ、それによって野縁受け３２の上フランジ３７と連結クリップ４３の第１フック４５（延出部分４５ａ）との係合が解除されるから、作業者が床に起立（位置）した状態で手が届かない天井３１の野縁受け３２と野縁３３との連結を容易に解除することができる。
【００６８】
連結解除具１０Ａは、野縁受け３２と野縁３３との連結を解除する際に作業者が脚立の移動や脚立への乗り降りを繰り返す必要はなく、床に位置する作業者が梃子の原理を利用してわずかな力で野縁受け３２の上フランジ３７と連結クリップ４３ａの第１フック４５との係合との係合を解除することができるとともに、野縁受け３２と野縁３３との連結を解除することができ、野縁受け３２と野縁３３との連結の解除に労力を必要とせず、手間と時間とを要せずに野縁受け３２と野縁３３との連結を短時間で効率よく解除することができる。
【００６９】
連結解除具１０Ａは、野縁受け３２と野縁３３とを上下方向へわずかに離間させることで、野縁受け３２の上フランジ３７と連結クリップ４３の第１フック４５との係合が解除され、野縁受け３２と野縁３３との連結が解除されるから、野縁受け３２や野縁３３を不規則に変形させることなく野縁受け３２と野縁３３との連結を解除することができ、連結が解除された野縁受け３２や野縁３３が原形を留め、連結が解除された野縁受け３２や野縁３３の再利用を可能にすることができる。連結解除具１０Ａは、連結が解除された野縁受け３２や野縁３３が原形を留めるから、野縁受け３２や野縁３３を廃棄処分する際にそれらが嵩張ることはなく、それらを容易に梱包することができ、手間と時間とを要せずに野縁受け３２や野縁３３の廃棄処理を可能にすることができる。
【００７０】
図１１は、他の一例として示す連結解除具１０Ｂの操作ロッド１１の上端部２４の拡大斜視図であり、図１２は、図１１の連結解除具１０Ｂの操作ロッド１１の上端部２４の拡大正面図である。図１３は、図１１の連結解除具１０Ｂの操作ロッド１１の上端部２４の拡大側面図である。図１４は、設置プレート１６に対する係合解除板１３や支持板１４の第１支持部２５の取付位置を変更した後の連結解除具１０Ｂの操作ロッド１１の上端部２４の拡大正面図であり、図１５は、図１４の連結解除具１０Ｂの操作ロッド１１の上端部２４の拡大側面図である。図１１では、上下方向を矢印Ａで示し、幅方向を矢印Ｂで示すとともに、前後方向を矢印Ｃで示す。図１２〜図１５では、円柱ロッド１７の図示を省略している。
【００７１】
連結解除具１０Ｂは、連結解除具１０Ａと同様に、天井３１の補修工事や解体工事を行う場合に作業者（人）の手が届かない位置に存在する野縁受け３２と野縁３３との連結の解除に好適に使用される。連結解除具１０Ｂは、野縁受け３２と野縁３３とを連結する連結クリップ４３の野縁受け３２に対する係合を解除し、野縁受け３２と野縁３３との連結を解除する。
【００７２】
連結解除具１０Ｂは、上下方向へ延びる長尺の操作ロッド１１と、幅方向側方へ延出する旋回中心棒１２（回転中心軸１２）と、幅方向側方へ延出する係合解除板１３（係合解除軸１３）と、前後方向前方へ延出する支持板１４（支持軸１４）と、幅方向側方へ延出する案内棒１５（案内軸１５）と、旋回中心棒１２や係合解除板１３、支持板１４、案内棒１５が連接された上下方向へ長い設置プレート１６とから形成されている。操作ロッド１１や旋回中心棒１２、案内棒１５は図１の連結解除具１０Ａのそれらと同一であるから、図１や図２と同一の符号を付すとともに、図１の連結解除具１０Ａの説明を援用することで、連結解除具１０Ｂの操作ロッド１１や旋回中心棒１２、案内棒１５の説明は省略する。
【００７３】
係合解除板１３（係合解除軸１３）は、旋回中心棒１２から上方へ所定寸法離間するとともに旋回中心棒１２から前方へ所定寸法離間し、角柱ロッド１８の上端部２４（操作ロッド１１の上端部２４）から幅方向へ延びている。係合解除板１３の基端部には、係合解除板１３に直交して延びる固定板４７が連接されている。固定板４７は、設置プレート１６の上方側部に着脱可能に固定される。固定板４７には、上下方向へ長い長さ調整開口４８（長さ調整スリット）が形成されている。係合解除板１３や固定板４７は、設置プレート１６とは別体であってそれらが一体となり、アルミニウムやアルカリ金属等の軽金属、または、ステンレス鋼やスチール鋼等の金属から作られて板状に成形されている。
【００７４】
支持板１４（支持軸１４）は、係合解除板１３の下方に位置して角柱ロッド１８の上端部２４（操作ロッド１１の上端部２４）から前方へ延びている。支持板１４は、設置プレート１６とは別体であり、アルミニウムやアルカリ金属等の軽金属、または、ステンレス鋼やスチール鋼等の金属から作られて板状に成形されている。支持板１４は、設置プレート１６から前方へ延びる第１支持部２５と、第１支持部２５の先端から上方へ延びる第２支持部２６とを有する。支持板１４は、設置プレート１６の中央側部に着脱可能に固定される。支持板１４の第１支持部２５には、上下方向へ長い長さ調整開口４９（長さ調整スリット）が形成されている。
【００７５】
設置プレート１６は、アルミニウムやアルカリ金属等の軽金属、または、ステンレス鋼やスチール鋼等の金属から作られて板状に成形されている。設置プレート１６は、プレート１６および角柱ロッド１８に形成された挿通孔に挿通された軸ネジ２９および軸ネジ２９に螺着されたナット３０によって角柱ロッド１８の上端部２４（操作ロッド１１の上端部２４）に旋回可能に連結されている。  
【００７６】
設置プレート１６の上方側部には、係合解除板１３に連接された固定板４７を上下方向へスライドさせる案内溝５０が形成されている。設置プレート１６の中央側部には、支持板１４の第１支持部２５を前後方向へスライドさせる案内溝５１が形成されている。設置プレート１６の下方中央部には、プレートの斜め方向へ延びる角度調整開口５２（角度調整スリット）が形成されている。角度調整開口５２には、角柱ロッド１８の上端部２４（操作ロッド１１の上端部２４）に穿孔されたネジ孔が露出する。
【００７７】
軸ネジ２９を中心として設置プレート１６を旋回させ、所定の位置で設置プレート１６の旋回を停止させ、設置プレート１６を角柱ロッド１８（操作ロッド１１）の軸線に対して所定角度の上り勾配に傾斜させた後、角度調整開口５２に露出するネジ孔に固定ネジ５３を螺着して設置プレート１６を角柱ロッド１８（操作ロッド１１）に固定する。設置プレート１６を旋回させて角度調整開口５２に対するネジ孔の位置を変え、角度調整開口５２の所定の位置に露出するネジ孔に固定ネジ５３を螺着することで、角柱ロッド１８（操作ロッド１１）の軸線に対する設置プレート１６の上り勾配に傾斜する傾斜角度を変更することができる。
【００７８】
設置プレート１６が角柱ロッド１８（操作ロッド１１）の軸線に対して上り勾配に傾斜することによって旋回中心棒１２や係合解除板１３が角柱ロッド１８（操作ロッド１１）の軸線上ではなく、角柱ロッド１８（操作ロッド１１）の上方に位置する。野縁受け３２と野縁３３との連結箇所４２の高さが高い場合、角柱ロッド１８（操作ロッド１１）の軸線に対する設置プレート１６の上り勾配の傾斜角度を大きくすることで、連結箇所４２の下方に位置する作業者に旋回中心棒１２や係合解除板１３が見易くなり、連結解除板１３を連結クリップ４３の接続部４４と野縁受け３２のウェブ３５との間や連結クリップ４３の第１フック４５の延出部分４５ａと野縁受け３２のウェブ３５との間に容易に進入させることができる。
【００７９】
設置プレート１６の上方側部に形成された案内溝５０に固定板４７を配置し、固定板４７を案内溝５０において上下方向へスライドさせ、案内溝５０の所定の位置で固定板４７のスライドを停止させた後、長さ調整開口４８に露出するネジ孔に固定ネジ５４を螺着して固定板４７を設置プレート１６に固定する。固定板４７を案内溝５０において上下方向へスライドさせて長さ調整開口４８に露出するネジ孔の位置を変え、長さ調整開口４８の所定の位置に露出するネジ孔に固定ネジ５４を螺着することで、係合解除板１３の設置プレート１６に対する取付位置を上下方向へ変更することができ、旋回中心棒１２と係合解除板１３との上下方向の離間寸法を変更することができる。
【００８０】
図１１〜図１３に示す連結解除具１０Ｂは、設置プレート１６に対して係合解除板１３を下方へスライドさせ、設置プレート１６に対する係合解除板１３の取付位置をプレート１６の下方に変更し、旋回中心棒１２と係合解除板１３との上下方向の離間寸法を小さくしている。図１１〜図１３に示す連結解除具１０Ｂは、ウェブ３５の寸法が１９ｍｍや２５ｍｍの野縁受け３２と野縁３３との連結解除に使用される。
【００８１】
図１４〜図１６に示す連結解除具１０Ｂは、設置プレート１６に対して係合解除板１３を上方へスライドさせ、設置プレート１６に対する係合解除板１３の取付位置をプレート１６の上方に変更し、旋回中心棒１２と係合解除板１３との上下方向の離間寸法を大きくしている。図１４〜図１６に示す連結解除具１０Ｂは、ウェブ３５の寸法が３８ｍｍや４０ｍｍの野縁受け３２と野縁３３との連結解除に使用される。
【００８２】
設置プレート１６の中央側部に形成された案内溝５１に支持板１４の第１支持部２５を配置し、第１支持部２５を案内溝５１において前後方向へスライドさせ、案内溝５１の所定の位置で第１支持部２５のスライドを停止させた後、長さ調整開口４９に露出するネジ孔に固定ネジ５５を螺着して支持板１４の第１支持部２５を設置プレート１６に固定する。第１支持部２５を案内溝５１において前後方向へスライドさせて長さ調整開口４９に露出するネジ孔の位置を変え、長さ調整開口４９の所定の位置に露出するネジ孔に固定ネジ５５を螺着することで、支持板１４の第１支持部２５の設置プレート１６に対する取付位置を前後方向へ変更することができ、支持板１４の第１支持部２５の設置プレート１６から前方への延出寸法を変更することができる。
【００８３】
図１１〜図１３に示す連結解除具１０Ｂは、設置プレート１６に対して支持板１４の第１支持部２５を後方へスライドさせ、設置プレート１６に対する第１支持部２５の取付位置をプレート１６の後方に変更し、第１支持部２５の設置プレート１６から前方への延出寸法を小さくしている。  図１１〜図１３に示す連結解除具１０Ｂは、下フランジ３６の寸法が１０ｍｍや１２ｍｍの野縁受け３２と野縁３３との連結解除に使用される。
【００８４】
図１４〜図１６に示す連結解除具１０Ｂは、設置プレート１６に対して支持板１４の第１支持部２５を前方へスライドさせ、設置プレート１６に対する第１支持部２５の取付位置をプレート１６の前方に変更し、第１支持部２５の設置プレート１６から前方への延出寸法を大きくしている。図１４〜図１６に示す連結解除具１０Ｂは、下フランジ３６の寸法が２０ｍｍの野縁受け３２と野縁３３との連結解除に使用される。
【００８５】
作業者は、設置プレート１６を旋回させて角度調整開口５２に対するネジ孔の位置を変え、角度調整開口５２の所定の位置に露出するネジ孔に固定ネジ５３を螺着して角柱ロッド１８（操作ロッド１１）の軸線に対する設置プレート１６の傾斜角度を変更し、固定板４７を案内溝５０において上下方向へスライドさせて長さ調整開口４８に露出するネジ孔の位置を変え、長さ調整開口４８の所定の位置に露出するネジ孔に固定ネジ５４を螺着して、係合解除板１３の設置プレート１６に対する上下方向の取付位置を変更するとともに、第１支持部２５を案内溝５１において前後方向へスライドさせて長さ調整開口４９に露出するネジ孔の位置を変え、長さ調整開口４９の所定の位置に露出するネジ孔に固定ネジ５５を螺着して第１支持部２５の設置プレート１６に対する前後方向の取付位置を変更する。
【００８６】
作業者は、設置プレート１６の傾斜角度や係合解除板１３の設置プレート１６に対する取付位置、第１支持部２５の設置プレート１６に対する取付位置を設定した後、連結解除具１０Ｂを利用して野縁受け３２と野縁３３との連結を解除する。連結解除具１０Ｂを利用した野縁受け３２と野縁３３との連結解除手順は図６，７や図９，１０のそれらと同一であるから、図６，７や図９，１０の説明を援用することで、その説明は省略する。
【００８７】
図１１〜図１６に示す連結解除具１０Ｂは、図１の連結解除具１０Ａが有する効果に加え、以下の効果を有する。野縁受け３２と野縁３３との連結箇所４２の高さや作業者の床における位置等によっては連結解除板１３を連結クリップ４３の接続部４４と野縁受け３２のウェブ３５との間に進入させる作業や連結解除板１３を連結クリップ４３の第１フック４５と野縁受け３２のウェブ３５との間に進入させる作業、支持板１４を野縁受け３２の下フランジ３６の直下に位置させる作業が難しくなる場合があるが、連結解除具１０Ｂは、角柱ロッド１８（操作ロッド１１）の軸線に対する設置プレート１６の上り勾配に傾斜する傾斜角度を変更可能であり、角柱ロッド１８（操作ロッド１１）の軸線に対する設置プレート１６の傾斜角度を変更し、旋回中心棒１２や係合解除板１３の角柱ロッド１８（操作ロッド１１）の上方への位置を変えることで、作業者から旋回中心棒１２や係合解除板１３が一層見易くなるから、野縁受け３２と野縁３３との連結箇所４２の高さや作業者の床における位置等にかかわらず、連結解除板１３を連結クリップ４３の接続部４４と野縁受け３２のウェブ３５との間に容易に進入させることができ、または、連結解除板１３を連結クリップ４３の第１フック４５と野縁受け３２のウェブ３５との間に容易に進入させることができ、支持板１４を野縁受け３２の下フランジ３６の直下に容易に位置させることができる。
【００８８】
野縁受け３２が規格化されてウェブ３５の寸法が決まっており、ウェブ３５の寸法が大きい野縁受け３２やウェブ３５の寸法が小さい野縁受け３２が存在し、ウェブ３５の寸法の大小によっては連結解除板１３を連結クリップ４３の第１フック４５と野縁受け３２のウェブ３５との間に進入させることができない場合があるが、連結解除具１０Ｂは、係合解除板１３の設置プレート１６に対する取付位置を上下方向へ変更可能であり、旋回中心棒１２と係合解除板１３との上下方向の離間寸法を変更可能であり、設置プレート１６に対する係合解除板１３の取付位置を上方へ変更して旋回中心棒１２と係合解除板１３との上下方向の離間寸法を大きくすることで、ウェブ３５の寸法が大きい野縁受け３２に係合する連結クリップ４３の第１フック４５と野縁受け３２のウェブ３５との間に連結解除板１３を進入させることができ、設置プレート１６に対する係合解除板１３の取付位置を下方へ変更して旋回中心棒１２と係合解除板１３との上下方向の離間寸法を小さくすることで、ウェブ３５の寸法が小さい野縁受け３２に係合する連結クリップ４３の第１フック４５と野縁受け３２のウェブ３５との間に連結解除板１３を進入させることができる。
【００８９】
また、野縁受け３２ウェブ３５の寸法の大小によっては支持板１４を野縁受け３２の下フランジ３６の直下に位置させることができない場合があるが、連結解除具１０Ｂは、設置プレート１６に対する係合解除板１３の取付位置を上方へ変更して旋回中心棒１２と係合解除板１３との上下方向の離間寸法を大きくすることで、ウェブ３５の寸法が大きい野縁受け３２の下フランジ３６の直下に支持板１４を位置させることができ、設置プレート１６に対する係合解除板１３の取付位置を下方へ変更して旋回中心棒１２と係合解除板１３との上下方向の離間寸法を小さくすることで、ウェブ３５の寸法が小さい野縁受け３２の下フランジ３６の直下に支持板１３を位置させることができる。
【００９０】
野縁受け３２が規格化されて下フランジ３６や上フランジ３７の寸法が決まっており、フランジ３６，３７の寸法が大きい野縁受け３２やフランジ３６，３７の寸法が小さい野縁受け３２が存在し、フランジ３６，３７の寸法の大小によっては支持板１４が野縁受け３２の下フランジ３６をその全長にわたって支持することができない場合があるが、連結解除具１０Ｂは、支持板１４の設置プレート１６に対する取付位置を前後方向へ変更することで、支持板１４の設置プレート１６から前方への延出寸法を変更可能であり、設置プレート１６に対する支持板１４の取付位置を前方へ変更して支持板１４の設置プレート１６から前方への延出寸法を大きくすることで、フランジ３６，３７の寸法が大きい野縁受け３２の下フランジ３６を支持板１４がその全長にわたって支持することができ、支持板１４によって野縁受け３２の下フランジ３６を上方へ確実に持ち上げることができる。
【符号の説明】
【００９１】
１０Ａ  連結解除具
１０Ｂ  連結解除具
１１    操作ロッド
１２    旋回中心棒（旋回中心軸）
１３    連結解除板（連結解除軸）
１４    支持板（支持軸）
１５    案内棒（案内軸）
１６    設置プレート
１７    円柱ロッド
１８    角柱ロッド
１９    柄部
２０    伸縮部
２１    第１円柱ロッド
２２    第２円柱ロッド
２３    ストッパー
２４    上端部
２５    第１支持部
２６    第２支持部
２７    先端部
２８    スペース
２９    固定ネジ
３０    ナット
３１    天井
３２    野縁受け
３３    野縁
３４    溝開口
３５    ウェブ
３６    下フランジ
３７    上フランジ
３８    溝開口
３９    底壁部
４０    側壁部
４１    係合リップ
４２    連結箇所（交差箇所）
４３    連結クリップ
４４    接続部
４５    第１フック
４６    第２フック
４７    固定板４７
４８    長さ調整開口
４９    長さ調整開口
５０    案内溝
５１    案内溝
５２    角度調整開口
５３    固定ネジ
５４    固定ネジ
５５    固定ネジ
【図１】
0006541153.tif 000002
【図２】
0006541153.tif 000003
【図３】
0006541153.tif 000004
【図４】
0006541153.tif 000005
【図５】
0006541153.tif 000006
【図６】
0006541153.tif 000007
【図７】
0006541153.tif 000008
【図８】
0006541153.tif 000009
【図９】
0006541153.tif 000010
【図１０】
0006541153.tif 000011
【図１１】
0006541153.tif 000012
【図１２】
0006541153.tif 000013
【図１３】
0006541153.tif 000014
【図１４】
0006541153.tif 000015
【図１５】
0006541153.tif 000016